(57)【要約】      （修正有）【課題】シュレッダーを稼動するのに必要な電力消耗量を削減することができるシュレッダーの切断刃及び回転切断組立部品の提供。【解決手段】複数の切断刃を含み、切断刃は少なくとも隣接する三本の歯を二セット有し、隣接する歯は互いに接し、隣接する歯のセットは切断刃の周縁に沿って間隔を置くように設置される。隣接する三本やそれ以上の歯の構成は、紙とその他の媒介物をより簡単に引き裂くことができる。【選択図】図３
0003139242.tif 000002
【実用新案登録請求の範囲】
【請求項１】
複数の切断刃を含み、該切断刃は少なくとも隣接する三本の歯を二セット有し、該隣接する歯は互いに接し、該隣接する歯のセットは切断刃の周縁に沿って間隔を置くように配置されることを特徴とする回転切断組立部品。
【請求項２】
該隣接する歯は、最低に二本の外部の歯で接されている少なくとも一本の内部の歯を含めていることを特徴とする請求項１記載の回転切断組立部品。
【請求項３】
該外部の歯は該内部の歯より狭いことを特徴とする請求項２記載の回転切断組立部品。
【請求項４】
複数の切断刃組立部品を含み、該切断刃組立部品は少なくとも三本の歯を二セット持ち、該隣接する歯は互いに接し、該切断刃組立部品の周縁に沿って間隔を置くように配置された隣接している歯のセットであることを特徴とする回転切断組立部品。
【請求項５】
該切断刃組立部品は、互いに接し、少なくとも二枚の切断刃を含めていることを特徴とする請求項４記載の回転切断組立部品。
【請求項６】
該隣接する歯は、最低に二本の外部の歯で接されている少なくとも一本の内部の歯を含めていることを特徴とする請求項５記載の回転切断組立部品。
【請求項７】
該外部の歯は該内部の歯より狭くなっていることを特徴とする請求項６記載の回転切断組立部品。
【請求項８】
少なくとも一本の切断刃を含み、該切断刃は少なくとも隣接する三本の歯を最低に二セット有し、該隣接する歯は互いに接し、該隣接する歯のセットは切断刃の周縁に沿って間隔を置くように配置されていることを特徴とする請求項１記載の回転切断組立部品。
【請求項９】
該隣接する歯は、最低に二本の外部の歯で接されている少なくとも一本の内部の歯を含めていることを特徴とする請求項１記載の回転切断組立部品。
【請求項１０】
該外部の歯は該内部の歯より狭くなっていることを特徴とする請求項２記載の回転切断組立部品。
【考案の詳細な説明】
【技術分野】
【０００１】
本考案はシュレッダー用切断刃に関わり、特に情報を載せる紙、プラスチック、または他の媒介物を切断する際に必要な電力を削減することが可能な切断刃及び回転切削組立部品を提供する。
【背景技術】
【０００２】
プライバシー保護への関心が高まるにつれ、シュレッダーは家庭と仕事の両方においても不可欠なものになっている。もともと紙製品の処分に使われていたシュレッダーは今、情報を載せる他の形で作られた媒介物、例えばコンパクトディスクの処分にも利用されるようになった。更に、クレジットカードと他のプラスチック製品の処分にも一般的に使われるようになった。
【０００３】
従来のシュレッダーは回転切断組立部品を形成する回転軸に沿って間隔が置かれた複数の切断刃を使用している。物は平行と反対の二つの回転する回転切断組立部品に投入される時に切断される。
【０００４】
最初の一般的な従来のシュレッダーはストリップカットシュレッダーと呼ばれている。それは紙全体の長さに沿って紙をストリップ状に切断する。この種類のシュレッダーにの欠点は、紙のストリップがばらばらになることである。
【０００５】
このような状況を避けるため、シュレッダーのメーカは紙を小さい長方形に切断するクロスカットシュレッダーを開発した。この種のシュレッダーも同様に、平行及び反対の二つの回転する回転切断組立部品によって形成された。切断刃もまた書く回転軸の長さに沿って間隔が置かれている。紙がこの二つの回転切断組立品に投入される時、ストリップカットシュレッダーと同様な方法で切断されるが、切断刃は刀身から、紙のストリップを、例えば４ｍｍ×４０ｍｍの小さい長方形に切断するように穴を開ける突き出した歯がある。
【０００６】
各切断刃の歯は回転軸の縦方向にオフセットされ、回転軸の周りにらせん状を形成している。歯がオフセットされるのは紙の切断に必要な電力量を削減するためでもある。歯が一列に並んでいれば、同時に紙に穴を開けることができるため、同時に紙に穴を開けるには、より強力なモータが必要である。
【０００７】
続いてはダイヤモンドカットシュレッダーである。波形刃の周りに使われたユニークで新型の回転切断組立部品の使用により、ダイアモンドカットシュレッダーは紙をダイヤの形に切断することができるため、情報保護の最大化が図れる。
【０００８】
切断タイプに関係なく、シュレッダーは一般に、切断できる紙の最大枚数で分類できる。例えば、１０枚切りのクロスカットシュレッダーは最大に１０枚の紙が切断できるように設計されたものである。１６枚切りのクロスカットシュレッダーは最大に１６枚の紙が切断できるように設計されたものである。理論的に、シュレッダーのモーターサイズは最大に切断できる紙の枚数に応じて増加するようになっている。より強力なモーターは大量の紙の切断に使用され、しかもより小さいトルクが使われるモーターに比べてより重くてより多い電力が消耗される。
【０００９】
消耗電力を削減し、シュレッダーのモーターのサイズを小型化するには、本考案は紙をより切断しやすい各種の切断刃と構成を使用すると、モーターサイズを小型化でき、省電力も実現できる。
【００１０】
本考案の好ましい実施例の一つは、従来のシュレッダー内の二枚の切断刃の間に、もう一枚の切断刃を追加することにより、以上の目的を実現している。追加された切断刃は隣接している二つの歯と連結する槍形歯を有しているので、紙の引き裂きと切断がより容易にできる。前述の説明により、現在に使われているシュレッダーは明らかに大きな不都合な点があることが分かるため、本考案の分野に利用された技術の重要概念はさらに改良を加えることができる。
【考案の開示】
【考案が解決しようとする課題】
【００１１】
本考案は回転切断部品に組み込まれたより効率でより省電力の切断刃に対するニーズを満足する装置に関するものである。一つの好ましい実施例においては、本考案の機能を有する内部の切断刃は、刀刃から突き出している槍形の歯、少なくとも二つの歯を有する円形刃を含めている。内部の切断刃は刀刃から設置されている。外部の切断刃の歯が平らで狭い以外に、内部の切断刃は同数量の歯を持っている外部の二本の刀刃の間に設置されている。刀刃は、内部の槍形歯が平らで狭い２本の外部の歯の間に挟まれるよう排列されている。そして、これらの刀刃回転軸の長さに沿って間隔を置くように配置され、且つ、回転軸の周りに置いてらせん状の形になるように縦軸に沿って外される。この新しい回転切断部品は切断するのにより少ない動力がかかる。例えば、１０枚切りのシュレッダー用モーターは１６枚の紙が切断できるようになった。
【課題を解決するための手段】
【００１２】
請求項１の考案は、複数の切断刃を含み、該切断刃は少なくとも隣接する三本の歯を二セット有し、該隣接する歯は互いに接し、該隣接する歯のセットは切断刃の周縁に沿って間隔を置くように配置されることを特徴とする回転切断組立部品としている。
請求項２の考案は、該隣接する歯は、最低に二本の外部の歯で接されている少なくとも一本の内部の歯を含めていることを特徴とする請求項１記載の回転切断組立部品としている。
請求項３の考案は、該外部の歯は該内部の歯より狭いことを特徴とする請求項２記載の回転切断組立部品としている。
請求項４の考案は、複数の切断刃組立部品を含み、該切断刃組立部品は少なくとも三本の歯を二セット持ち、該隣接する歯は互いに接し、該切断刃組立部品の周縁に沿って間隔を置くように配置された隣接している歯のセットであることを特徴とする回転切断組立部品としている。
請求項５の考案は、該切断刃組立部品は、互いに接し、少なくとも二枚の切断刃を含めていることを特徴とする請求項４記載の回転切断組立部品としている。
請求項６の考案は、該隣接する歯は、最低に二本の外部の歯で接されている少なくとも一本の内部の歯を含めていることを特徴とする請求項５記載の回転切断組立部品としている。
請求項７の考案は、該外部の歯は該内部の歯より狭くなっていることを特徴とする請求項６記載の回転切断組立部品としている。
請求項８の考案は、少なくとも一本の切断刃を含み、該切断刃は少なくとも隣接する三本の歯を最低に二セット有し、該隣接する歯は互いに接し、該隣接する歯のセットは切断刃の周縁に沿って間隔を置くように配置されていることを特徴とする請求項１記載の回転切断組立部品としている。
請求項９の考案は、該隣接する歯は、最低に二本の外部の歯で接されている少なくとも一本の内部の歯を含めていることを特徴とする請求項１記載の回転切断組立部品としている。
請求項１０の考案は、該外部の歯は該内部の歯より狭くなっていることを特徴とする請求項２記載の回転切断組立部品としている。
【考案の効果】
【００１３】
本考案は切断刃及び回転切断組立部品により、紙、プラスチック及び情報を載せる他の形の媒介物の切断に必要な電力を削減することができる。
【考案を実施するための最良の形態】
【００１４】
シュレッダーの構成要素はベース、ハウジング、及びハウジング内のシュレッダーメカニズムを含めている。シュレッダーメカニズムは紙が組立部品を通した時に紙を切断する二つの回転切断組立部品を有している。
【００１５】
本考案は回転切断組立部品より効率的に紙を切断してより省電力できる構成を持つ回転切断組立部品を示している。回転切断組立部品は回転軸の長さに沿って間隔が置かれる切断刃で構成されている。切断刃また刀刃は、以下の説明のように突き出している歯で構成されている。図３〜図２０は切断刃組立部品５を形成する三枚の切断刃２付きの回転切断組立部品１の最初の好ましい実施例を示している。
【００１６】
図３と図５のように、回転切断組立部品１は、回転軸３の長さに沿って間隔が置かれる切断刃組立部品５によって構成されている。切断刃組立部品５のそれぞれは切断刃２から突き出している複数の歯４を持っている。図６と図７のように、回転軸３の形は六角形でスチールのような耐久性の金属合金で製造された方が望ましい。
【００１７】
一つの好ましい実施例においては、三枚の切断刃は切断刃組立部品５ （図１４参照)を形成するように連結されており、そして回転軸に沿ってほかの切断刃組立部品５から離れている。図８〜図１０が示しているのは、切断刃組立部品５の外部の切断刃６である。外部の切断刃６は多角形の穴８を持っているハブ７を有している。この多角形の穴８はハブ７の中心に形成され、回転軸３はハブ７を通すことができる。多角形の形は六角形の回転軸に嵌ることができるので、切断刃が回転軸の周囲を回転しないように防止する。
【００１８】
外部の切断刃の周辺部品９がのこぎり歯状になるのが望ましいが、必要ではない。のこぎり歯状のものは紙を切断するよう、回転切断組立部品から引っ張ることができる。外部の切断刃６の周辺部品については、切断刃本体１１上の複数の押し込みやリブ１０である。リブ１０は切断刃の補強と曲がり防止に使われる。それに、リブ１０は内部の切断刃１９を適所に支えることができる。リブに対する垂直面は大体適所にある。リブに対する垂直面は大体、より一層の押し込みやスポーク１２である。スポーク１２も切断刃の補強に利用できるし、その上、スポーク１２は内部の切断刃１９を支える働きがある。
【００１９】
外部の切断刃６も三本の平らで狭い歯がある。これらの歯は切断刃の周縁に沿って１２０度離れるようになっている。大きめな切断刃を必要とする、より長い周縁、四本の歯を持つ大容量のシュレッダーが周縁部品の周りから離れて９０度に設置できるのが役立つだろう。小さめの刀刃を有するより小容量のシュレッダーについては、二本の歯は周辺部品の周りから１８０度離れるように配置できる。歯と歯の間の距離は切断物質の大きさを決める。距離が短ければ、品物はより小さい破片に切断される。
【００２０】
外部の切断刃の刃１３は突き出した周辺部品の沿っている切断刃と同様な距離があり、また、歯のベース１４からチップ１５までの幅に維持するのが望ましい。外部の切断刃の歯の側面１６は切断刃のの周縁の接線に対する垂直面からわずか数度離れているが、同時に、ほかの斜面１７が接線から１０５度より大きく離れている。歯は、大体の垂直側面１６と斜面１７が合うときに形成される。歯の押し込まれた部分１８がある。この歯の押し込まれた部分１８は類似した方法でリブ１０とスポーク１２が刀刃の全体構造の補強をしている。
【００２１】
外部の切断刃６は、多角形の穴、ハブ、リブ、スポーク、突き出した周辺部品と歯から構成された外部の切断刃の形になるように、厚さ０．６ｍｍ程度の薄板材料がダイで穴が空けられる時に形成される。
【００２２】
図１１〜図１３は内部の切断刃１９を掲示している。外部の切断刃６のように、内部の切断刃１９はその中心に形成された多角形の穴２０がある。それを通して回転軸が通過できる。多角形は六角形の回転軸に嵌るので、回転軸の周りで回転することなく切断刃を保護する。
【００２３】
内部の切断刃１９は周辺部品の周りに、外部の切断刃と同数量の歯を持っている。この好ましい実施例においては、三本の歯は内部の切断刃の周縁から１２０度離れるように設置されている。前にも述べたように、より大容量のシュレッダーには周縁がより長い大きめの切断刃が必要であり、４本の歯は周辺部品から９０度離れるように配置される。より小容量のシュレッダーには同様に、小さめの切断刃が必要であり、二本の歯は周辺部品から１８０度離れるように配置される。
【００２４】
内部の切断刃の刃２１はチップ２２上の突き出した形になるのが望ましい。０．６ｍｍの金属薄板を二回折り畳むように形成されるので、歯の大体厚さは１．８ｍｍになり、そして突き出した形の歯になるようダイで穴が空けられる。内部の切断歯２３は故に、内部の切断刃１９のベース２４の幅より大体３倍も大きい。
【００２５】
図１４と図１５のように、外部の切断刃６は歯が排列するような構成で内部の切断刃１９を挟んで側面に接している。外部の切断刃６のリブ１０とスポーク１２、及び歯の押し込まれた部分１８は適切に排列するように内部の切断刃１９を支えて保護する。
【００２６】
この好ましい実施例は三枚の刀刃が切断刃組立部品５を形成するように連結しているのを掲示しているにもかかわらず、同様なメカニズムは三枚以下の刀刃でも実現できる。例えば、三枚の刀刃よりも、一枚の刀刃は十分の幅のベースで、大き目の突き出した歯の側面に接している二本の狭い歯を支えることができる。更に、特定の場合においては、隣接する三本以上の歯は都合がよいこともある。こんな状況では、一枚や一枚以上の刀刃は隣接する歯を支えるのに使われることがある。
【００２７】
このように、本考案は、複数の切断刃から構成された回転切断組立部品を掲示している。述べられた切断刃は最低に、少なくとも隣接する三本の歯を有する二セットを持っている。ここで指された隣接する歯は互いの側面に接している。この隣接する歯のセットは、切断刃の周縁に沿って隣接する歯のほかのセットから間隔を置くように配置される。隣接する歯は、少なくとも二本の外部の歯に接されている少なくとも一本の内部の歯を含めている。ここで述べられた外部の歯は内部の歯より狭いことがある。
【００２８】
本考案もまた、少なくとも隣接する三本の歯を最低に二セットを有する複数の切断刃組立部品を含める回転切断組立部品を説明している。ここで述べられた歯は互いに接しており、述べられた隣接する歯のセットは切断刃組立部品の周縁に沿って間隔を置くように配置されている。隣接する歯は、最低二本の外部の歯によって接されている少なくとも一本の内部の歯を含めている。ここで述べられた外部の歯は内部の歯より狭いことがある。切断刃組立部品は互いに接している少なくとも二枚の切断刃を含むことがある。
【００２９】
本考案は更に、少なくとも隣接する三本の歯を最低に二セットから構成された回転切断組立部品を示している。ここで述べられた隣接する歯は互いに接しており、そして、述べられた隣接する歯のセットは切断刃の周縁に沿って間隔を置くように配置されている。隣接する歯は、最低に二本の外部の歯に接された少なくとも一本の内部の歯を含めている。ここで述べられた外部の歯は内部の歯より狭いことがある。
【００３０】
図１６〜図１８は、間隔が置かれた切断刃組立部品５と共に部分的に組み立てられた回転組立部品１を示している。この好ましい実施例における切断刃組立部品は、外部の切断刃６内にあるハブ７によって間隔が置かれている。歯４はらせん状になるよう、垂直方向に置き換えられた。歯が排列されていれば、より強い力は紙を突き抜けるために必要とされる。歯を置き換えることにより、レーザ、連続の力は必要にある。ここでらせん状のものが述べられたが、歯が排列になっていない何れの構成でも使用されることがある。その上に、書く切断組立部品の周縁にはいろんな数の歯があることも可能である。部分の切断組立部品は周辺部品の周りに二セットの歯があるし、三セット以上を持っているものもある。
【００３１】
図１９と図２０は二つの回転切断組立部品２５間の関連を示している。二つの組立部品間に紙が投入され、長方形に切断される。長方形の幅はハブによって形成された切断刃組立部品間のスペースによって決まる。長方形の長さは切断人の周縁の周りにある歯と歯との間の距離によって決まる。サイズは変わるが、サンプルになる切断された紙切れは４ｍｍかける４０ｍｍである。
【００３２】
図２１〜２５は本考案に関するもう一つの好ましい実施例を示している。この実施例においては、構成部品は切断刃組立部品が突き出しているハブを持っていない以外に、前述のものと同じく肝心である。切断刃組立部品間のスペースを形成するハブが存在しないため、別のスペーサー２６は切断刃組立部品を分けるのに必要となる。（図２９と図３０参照)。
【００３３】
図２６〜図３３のように、この好ましい実施例もスペーサー２６に繋いでいる紙ストリッパー２７を示している。紙ストリッパー２７もスペーサー２６も関連の技術においてよく知られている。紙ストリッパーは切断された紙がシュレッダーベースに落ちるのをより簡単にし、且つ、紙が切断刃組立部品の間に詰まって絡まないように防止する。紙ストリッパーは前の実施例において示されなかったが、以上の回転切断組立部品を活用する完全に組み立てられたシュレッダーは、紙ストリッパーが切断刃組立部品間のハブに連結したほうが望ましい。
【００３４】
他の好ましい実施例も可能である。例えば、隣接する三本やそれ以上の歯という原則はダイヤモンドカットシュレッダーにも適用できる。
【図面の簡単な説明】
【００３５】
【図１】従来の切断刃の透視図である。
【図２】従来の切断刃の平面図である。
【図３】本考案の特徴を具体化する回転切断部品の透視図である。
【図４】回転切断部品の立体側面図である。
【図５】回転切断部品の立体正面図である。
【図６】回転軸の立体正面図である。
【図７】回転軸の立体側面図である。
【図８】本考案の特徴を具体化する刀刃の透視図である。
【図９】本考案の特徴を具体化する切断刃の側面立体図である。
【図１０】本考案の特徴を具体化する切断刃の正面立体図である。
【図１１】本考案の特徴を具体化する切断刃の透視図である。
【図１２】本考案の特徴を具体化する切断刃の側面立体図である。
【図１３】本考案の特徴を具体化する切断刃の正面立体図である。
【図１４】本考案の特徴を具体化する三枚の切断刃の透視図である。
【図１５】本考案の特徴を具体化する三枚の切断刃の側面立体図である。
【図１６】部分的に組み立てられた回転切断組立部品の透視図である。
【図１７】部分的に組み立てられた回転切断組立部品の正面立体図である。
【図１８】部分的に組み立てられた回転切断組立部品の側面立体図である。
【図１９】二つの回転切断組立部品の透視図である。
【図２０】二つの回転切断組立部品の側面立体図である。
【図２１】本考案の特徴を具体化する三枚の切断刃の透視図である。
【図２２】本考案の特徴を具体化する三枚の切断刃の側面立体図である。
【図２３】本考案の特徴を具体化する切断刃の正面立体図である。
【図２４】本考案の特徴を具体化する三枚の切断刃の透視図である。
【図２５】本考案の特徴を具体化する三枚の切断刃側面立体図である。
【図２６】紙のストリップがついている部分的に組み立てられた回転切断組立部品の透視図である。
【図２７】紙のストリップがついている部分的に組み立てられた回転切断組立部品の正面立体図である。
【図２８】紙のストリップがついている部分的に組み立てられた回転切断組立部品の側面立体図である。
【図２９】紙のストリップがついている部分的に組み立てられた回転切断組立部品の透視図である。
【図３０】紙のストリップがついている部分的に組み立てられた回転切断組立部品の透視図である。
【図３１】紙のストリップがついている回転切断組立部品の透視図である。
【図３２】紙のストリップがついている回転切断組立部品の正面立体図である。
【図３３】紙のストリップがついている回転切断組立部品の側面立体図である。
【符号の説明】
【００３６】
１  回転切断組立部品
２  切断刃
４  複数の歯
３  回転軸
５  切断刃組立部品
６  外部の切断刃
７  ハブ
８  多角形の穴
９  外部の切断刃の周辺部品
１０  リブ
１１  切断刃本体
１２  スポーク
１３  外部の切断刃の刃
１４  歯のベース
１５  チップ
１６  側面
１７  斜面
１８  歯の押し込まれた部分
１９  内部の切断刃
２０  多角形の穴
２１  内部の切断刃の刃
２２  チップ
２４  ベース
２５  回転切断組立部品
２６  スペーサー
２７  紙ストリッパー
【図１】
0003139242.tif 000003
【図２】
0003139242.tif 000004
【図３】
0003139242.tif 000005
【図４】
0003139242.tif 000006
【図５】
0003139242.tif 000007
【図６】
0003139242.tif 000008
【図７】
0003139242.tif 000009
【図８】
0003139242.tif 000010
【図９】
0003139242.tif 000011
【図１０】
0003139242.tif 000012
【図１１】
0003139242.tif 000013
【図１２】
0003139242.tif 000014
【図１３】
0003139242.tif 000015
【図１４】
0003139242.tif 000016
【図１５】
0003139242.tif 000017
【図１６】
0003139242.tif 000018
【図１７】
0003139242.tif 000019
【図１８】
0003139242.tif 000020
【図１９】
0003139242.tif 000021
【図２０】
0003139242.tif 000022
【図２１】
0003139242.tif 000023
【図２２】
0003139242.tif 000024
【図２３】
0003139242.tif 000025
【図２４】
0003139242.tif 000026
【図２５】
0003139242.tif 000027
【図２６】
0003139242.tif 000028
【図２７】
0003139242.tif 000029
【図２８】
0003139242.tif 000030
【図２９】
0003139242.tif 000031
【図３０】
0003139242.tif 000032
【図３１】
0003139242.tif 000033
【図３２】
0003139242.tif 000034
【図３３】
0003139242.tif 000035